【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
移動体に搭載され、パケット情報を送受信する移動体搭載通信装置であって、
貸与アドレスを管理するアドレス管理装置から、複数の当該貸与アドレスを借用アドレス群として取得する借用アドレス取得部と、
前記借用アドレス群を使用することが可能な時間帯として規定された借用時間帯を示す情報を、前記アドレス管理装置から取得する借用時間帯情報取得部と、
前記借用アドレス群に含まれる借用アドレスと前記移動体に関する情報とを含むパケット情報を、当該借用アドレス群に対して規定された借用時間帯に送信する送信部と、
複数の前記貸与アドレスを前記借用アドレス群として借用する時間帯を決定する要求借用時間帯決定部と、
複数の前記貸与アドレスを前記要求借用時間帯決定部が決定した時間帯に割り当てる旨を要求するアドレス要求情報を送信するアドレス要求部と、
を備え、
前記借用アドレス取得部は、
前記アドレス要求情報に対して応答した前記アドレス管理装置から複数の前記貸与アドレスを借用アドレス群として取得し、
前記借用時間帯情報取得部は、
前記アドレス要求情報に対して応答した前記アドレス管理装置から前記借用時間帯を示す情報を取得することを特徴とする移動体搭載通信装置。
【請求項２】
移動体に搭載される移動体搭載通信装置にアドレスを割り当てるアドレス管理装置であって、
前記移動体搭載通信装置に割り当てる貸与アドレスを記憶する貸与アドレス記憶部と、
複数の前記貸与アドレスを含む貸与アドレス群と、前記移動体搭載通信装置に当該貸与アドレス群を割り当てる貸与時間帯を示す情報と、を前記移動体搭載通信装置に与える貸与情報付与部と、
前記貸与アドレス群を割り当てる時間帯を示すアドレス要求情報を、前記移動体搭載通信装置から取得するアドレス要求情報取得部と、
前記アドレス要求情報が示す時間帯に基づいて、前記貸与時間帯を決定する貸与時間帯決定部と、
を備え、
前記移動体搭載通信装置に、前記貸与アドレス群を、当該貸与アドレス群に対して規定された貸与時間帯に割り当てること特徴とするアドレス管理装置。
【請求項３】
移動体に搭載される移動体搭載通信装置にアドレスを割り当てるアドレス管理装置であって、
前記移動体搭載通信装置に割り当てる貸与アドレスを記憶する貸与アドレス記憶部と、
複数の前記貸与アドレスを含む貸与アドレス群と、前記移動体搭載通信装置に当該貸与アドレス群を割り当てる貸与時間帯を示す情報と、を前記移動体搭載通信装置に与える貸与情報付与部と、
を備え、
前記移動体搭載通信装置に、前記貸与アドレス群を、当該貸与アドレス群に対して規定された貸与時間帯に割り当て、
前記貸与情報付与部は、
前記貸与アドレス群を前記移動体搭載通信装置に割り当てる頻度に基づいて前記貸与時間帯を決定する貸与時間帯決定手段を備えることを特徴とするアドレス管理装置。
【請求項４】
請求項２または請求項３のいずれか１項に記載のアドレス管理装置であって、
前記移動体が移動する領域に固定して設けられることを特徴とするアドレス管理装置。
【請求項５】
移動体が移動する領域に固定して設けられ移動体に搭載される移動体搭載通信装置にアドレスを割り当てるアドレス管理装置であって、
前記移動体搭載通信装置に割り当てる貸与アドレスを記憶する貸与アドレス記憶部と、
前記貸与アドレスと、前記移動体搭載通信装置に当該貸与アドレスを割り当てる貸与時間帯を示す情報と、を前記移動体搭載通信装置に与える貸与情報付与部と、
を備え、
前記移動体搭載通信装置に、前記貸与アドレスを、当該貸与アドレスに対して規定された貸与時間帯に割り当てることを特徴とするアドレス管理装置。
【請求項６】
請求項５に記載のアドレス管理装置であって、
前記貸与アドレスを割り当てる時間帯を示すアドレス要求情報を、前記移動体搭載通信装置から取得するアドレス要求情報取得部と、
前記アドレス要求情報が示す時間帯に基づいて、前記貸与時間帯を決定する貸与時間帯決定部と、
を備えることを特徴とするアドレス管理装置。
【請求項７】
請求項５に記載のアドレス管理装置であって、
前記貸与情報付与部は、
前記貸与アドレスを前記移動体搭載通信装置に割り当てる頻度に基づいて前記貸与時間帯を決定する貸与時間帯決定手段を備えることを特徴とするアドレス管理装置。
【手続補正２】
【補正対象書類名】明細書
【補正対象項目名】０００７
【補正方法】変更
【補正の内容】
【０００７】
本発明は、移動体に搭載され、パケット情報を送受信する移動体搭載通信装置であって、貸与アドレスを管理するアドレス管理装置から、複数の当該貸与アドレスを借用アドレス群として取得する借用アドレス取得部と、前記借用アドレス群を使用することが可能な時間帯として規定された借用時間帯を示す情報を、前記アドレス管理装置から取得する借用時間帯情報取得部と、前記借用アドレス群に含まれる借用アドレスと前記移動体に関する情報とを含むパケット情報を、当該借用アドレス群に対して規定された借用時間帯に送信する送信部と、複数の前記貸与アドレスを前記借用アドレス群として借用する時間帯を決定する要求借用時間帯決定部と、複数の前記貸与アドレスを前記要求借用時間帯決定部が決定した時間帯に割り当てる旨を要求するアドレス要求情報を送信するアドレス要求部と、を備え、前記借用アドレス取得部は、前記アドレス要求情報に対して応答した前記アドレス管理装置から複数の前記貸与アドレスを借用アドレス群として取得し、前記借用時間帯情報取得部は、前記アドレス要求情報に対して応答した前記アドレス管理装置から前記借用時間帯を示す情報を取得することを特徴とする。
【手続補正３】
【補正対象書類名】明細書
【補正対象項目名】０００８
【補正方法】変更
【補正の内容】
【０００８】
また、本発明は、移動体に搭載される移動体搭載通信装置にアドレスを割り当てるアドレス管理装置であって、前記移動体搭載通信装置に割り当てる貸与アドレスを記憶する貸与アドレス記憶部と、複数の前記貸与アドレスを含む貸与アドレス群と、前記移動体搭載通信装置に当該貸与アドレス群を割り当てる貸与時間帯を示す情報と、を前記移動体搭載通信装置に与える貸与情報付与部と、前記貸与アドレス群を割り当てる時間帯を示すアドレス要求情報を、前記移動体搭載通信装置から取得するアドレス要求情報取得部と、
前記アドレス要求情報が示す時間帯に基づいて、前記貸与時間帯を決定する貸与時間帯決定部と、を備え、前記移動体搭載通信装置に、前記貸与アドレス群を、当該貸与アドレス群に対して規定された貸与時間帯に割り当てること特徴とする。
【手続補正４】
【補正対象書類名】明細書
【補正対象項目名】０００９
【補正方法】変更
【補正の内容】
【０００９】
また、本発明は、移動体に搭載される移動体搭載通信装置にアドレスを割り当てるアドレス管理装置であって、前記移動体搭載通信装置に割り当てる貸与アドレスを記憶する貸与アドレス記憶部と、複数の前記貸与アドレスを含む貸与アドレス群と、前記移動体搭載通信装置に当該貸与アドレス群を割り当てる貸与時間帯を示す情報と、を前記移動体搭載通信装置に与える貸与情報付与部と、を備え、前記移動体搭載通信装置に、前記貸与アドレス群を、当該貸与アドレス群に対して規定された貸与時間帯に割り当て、前記貸与情報付与部は、前記貸与アドレス群を前記移動体搭載通信装置に割り当てる頻度に基づいて前記貸与時間帯を決定する貸与時間帯決定手段を備えることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】